(57)【要約】【課題】  人が接近することにより照明が行われる軸体であって、タンスのハンガー掛け棒，食器棚及び扉の把手等に装着され、必要なときのみ照明が行われる棒状照明具を提供すること。【解決手段】  光通過孔２が形成された棒状本体Ａと、前記棒状本体Ａ内で且つ光通過孔２位置に配置される発光部６と、該発光部６を点灯させる直流電源を有する電源部Ｂと、人体の接近を感知し前記発光部６と前記電源部Ｂとを通電させて照明させ得るセンサ９とからなること。前記電源部Ｂは前記棒状本体Ａに着脱自在に内蔵され、且つ前記センサ９は棒状本体Ａの適所に設けられること。【選択図】      図１
2005183222.tif 000002
【特許請求の範囲】
【請求項１】
光通過孔が形成された棒状本体と、前記棒状本体内で且つ光通過孔位置に配置される発光部と、該発光部を点灯させる直流電源を有する電源部と、人体の接近を感知し前記発光部と前記電源部とを通電させて照明させ得るセンサとからなり、前記電源部は前記棒状本体に着脱自在に内蔵され、且つ前記センサは棒状本体の適所に設けられてなることを特徴とする棒状照明具。
【請求項２】
請求項１において、前記光通過孔は、複数の小貫通孔とし、各小貫通孔に発光部が対応するようにして配置されてなることを特徴とする棒状照明具。
【請求項３】
請求項２において、前記複数の小貫通孔と同等間隔にした発光部を装着するベース部が具備され、該ベース部は前記棒状本体内に挿通且つ固定されてなることを特徴とする棒状照明具。
【請求項４】
請求項１，２又は３において、前記電源部には、出力端子が装着され、前記ベース部には前記出力端子と接触する入力端子が設けられ、前記電源部が棒状本体内に挿入されることで前記出力端子と入力端子とが当接してなることを特徴とする棒状照明具。
【請求項５】
請求項１，２，３又は４において、前記発光部は、ＬＥＤとしてなることを特徴とする棒状照明具。
【発明の詳細な説明】
【技術分野】
【０００１】
本発明は、人が接近することにより照明が行われる軸体であって、タンスのハンガー掛け棒，食器棚及び扉の把手等に装着され、必要なときのみ照明が行われる棒状照明具に関する。
【背景技術】
【０００２】
タンス，種々の棚等の家具には、その内部を照らし、所望の衣類や食器を取り出すための照明具が装着されていることがある。このような照明具は、扉を開くと同時に内部が照らされる仕組みとなっているものが多い。その照明具の多くは、電源やセンサがタンスや棚等の家具に照明部とは別の箇所に装着されている。そして、扉を開くことにより照明が点灯するために、タッチタイプセンサが装着され扉の開き具合で、センサスイッチがオン状態となり、照明が行われる。下記特許文献１では、タンスのハンガー掛け棒に照明装置が組み込まれたものであり、ハンガーに掛けた洋服の間近を照らして、所望の洋服を選択することができる。
【特許文献１】実開平４−５４２４７号
【発明の開示】
【発明が解決しようとする課題】
【０００３】
上記特許文献１では、ハンガー掛け棒の一部が透明材又は半透明材にて構成された管状の吊支棒の内部に蛍光灯が組み込まれている。この蛍光灯を点灯させるための電源，制御部及びセンサ等は、タンスの別の箇所に装着されている。特に蛍光灯の電源１３は、ハンガー掛け棒等のように細い管体内に収めることができず、タンスの比較的配置し易い箇所等に設けられることになる。
【０００４】
ところで上記のような構造としたのでは、電気配線等の関係から、照明具本体とタンス本体とを簡単には切り離すことができない構造となることもある。また、タンスに照明具を装着するために、タンス等の家具本体側にも電気配線の加工が必要となり、余分にコストがかかり、照明装置に不具合が生じた場合には、その修理にかなり手間取ることにもなる。またそのための部品の交換も面倒になることもある。本発明の課題（技術的課題又は目的等）は、極めて簡単な構造でタンス，棚等の家具に極めて簡単に装着することにより、照明具付きの家具とすることができ、しかも家具本体側には何ら、加工を必要としないものにすることにある。
【課題を解決するための手段】
【０００５】
そこで、発明者は、上記課題を解決すべく、鋭意，研究を重ねた結果、本発明を、光通過孔が形成された棒状本体と、前記棒状本体内で且つ光通過孔位置に配置される発光部と、該発光部を点灯させる直流電源を有する電源部と、人体の接近を感知し前記発光部と前記電源部とを通電させて照明させ得るセンサとからなり、前記電源部は前記棒状本体に着脱自在に内蔵され、且つ前記センサは棒状本体の適所に設けられてなる棒状照明具としたことにより、上記課題を解決したものである。また、前述の構成において、前記光通過孔は、複数の小貫通孔とし、各小貫通孔に発光部が配置されてなる棒状照明具としたことにより上記課題を解決したものである。
【０００６】
前述の構成において、前記複数の小貫通孔と同等間隔にした発光部を装着するベース部が具備され、該ベース部は前記棒状本体内に挿通且つ固定されてなる棒状照明具としたことにより、前記課題を解決した。また、前述の構成において、前記電源部には、出力端子が装着され、前記ベース部には前記出力端子と接触する入力端子が設けられ、前記電源部が棒状本体内に挿入されることで前記出力端子と入力端子とが当接してなる棒状照明具としたことにより、前記課題を解決した。さらに、前述の構成において、前記発光部は、ＬＥＤとしてなる棒状照明具としたことにより、上記課題を解決したものである。
【発明の効果】
【０００７】
請求項１の発明によれば、家具本体側には何ら加工することなく、棒状照明具を家具本体に装着することができ、しかも、本体内には電池による電源が組み込まれているので、家具本体側には配電工事をする必要がない。また、人体の接近を感知し前記発光部と電源とを通電させて照明させるセンサにより、人が近づいたときのみ照明が行われ、節電が確実である。請求項２の発明によれば本体の軸に対して複数の光源が点状に照明され、均一且つ広範囲に照明が行われる。請求項３の発明によれば、本発明の組み立てを極めて簡単且つ効率的に行うことができる。請求項４の発明によれば、電池の交換とともに、通電が開始され、センサに基づいた照明が行われるので、スイッチ等の部品を不要とすることができる。請求項５の発明によれば、前記発光部は、比較的耐久性のあるものにすることができる。
【発明を実施するための最良の形態】
【０００８】
以下、本発明の実施形態を図面に基づいて説明する。本発明は、図２（Ａ），（Ｂ）に示すように、主に棒状本体Ａ，複数の発光部６，６，…と、発光部６，６，…が配列された基板７が装着されるベース部５及び電源部Ｂとから構成される。その棒状本体Ａは、軸部１と、光通過孔２とから構成されている。その軸部１は、図１（Ｂ）に示すように、中空状で、その内部に後述するベース部５及び発光部６が装着され、さらに電源部Ｂも収納自在となっている。
【０００９】
その軸部１は、長手方向に延びる中空軸形状をなし、金属材から形成され、主にアルミ材，ステンレス材等が使用され、その長手方向に直交する断面形状は、略「０」字形状，又は楕円形状或いは円形状に形成されている。またその断面形状は略長方形状等の方形状に形成されることもある。その軸部１の長手方向に沿って複数の光通過孔２が形成されている。該光通過孔２は、図２（Ｂ）に示すように、複数の小貫通孔２ａ，２ａ，…からなるものであり、これら小貫通孔２ａ，２ａ，…が適宜の間隔をおいて形成されているが、好ましくは、等間隔に形成される。
【００１０】
棒状本体Ａには、図１，図４等に示すように、正面部１ａと背面部１ｂとが存在する。その棒状本体Ａの正面部１ａの適宜の箇所又は好ましくは長手方向の略中央位置に設けた開口箇所には、後述するセンサ９のためのセンサ窓部３が設けられている。すなわち、このセンサ窓部３が形成されている側が常時、近づいてくる人に対向するように設置されるものである。センサ窓部３は、長方形，正方形等の方形状或いは円形状等の窓であり、その窓孔にガラス又はプラスチック，アクリル等の透明又は半透明の合成樹脂製の窓カバー３ａが装着されている。該窓カバー３ａの周囲には窓縁が形成され、センサ窓部３の窓孔に装着しやすいようになっている。また、窓孔に前記窓カバー３ａを設けないこともある。その棒状本体Ａの断面形状が略「０」字形状，又は楕円形状であれば、その扁平な面のいずれか一方を正面部１ａとし、断面が円形状の場合では、いずれか適宜の面を正面部１ａと設定する。
【００１１】
さらに、その棒状本体Ａの具体的な形態を詳細に説明すると、長手方向に直交する断面が図４（Ｂ），（Ｃ）に示すように、「０」字形状とした長円形状となっている。そして、長手方向に直交する半円領域のいずれか一方を下面部１ｃとし、その下面部１ｃ側に光通過孔２が形成されている。該光通過孔２は、多数の小貫通孔２ａ，２ａ，…の集合体として形成されている。その小貫通孔２ａは、軸部１の長手方向に直交する方向に貫通する小円形状の貫通孔である。棒状本体Ａをタンスに設置するときには、前記正面部１ａを正面側に向け且つ下面部１ｃが下方となるように設置される。
【００１２】
また、前記小貫通孔２ａの孔方向の軸芯は、前記下面部１ｃの円弧状面の曲率中心点ｐを通過する鉛直線に対して、角度θ（具体的には約１５度）で正面部１ａ側寄りに傾斜するように形成されている。すなわち、小貫通孔２ａは、図４（Ｂ），（Ｃ）に示すように、正面部１ａ側寄りとなるように配置され、タンス等の家具内にて洋服等の衣類や又は食器等に照射するものである。その小貫通孔２ａの直径は、後述する発光部６の球部径よりも僅かに大きい程度でよい。
【００１３】
次にベース部５は、図３（Ａ）乃至（Ｄ）に示すように、発光部６，６，…及びセンサ９等を適正の状態にて前記棒状本体Ａに内装する役目をなすものである。そのベース部５は、長手方向に直交する断面が略「Ｌ」字形状をなし、固定板片５ａと支持板片５ｂとから形成される。前記固定板片５ａは、棒状本体Ａの内壁に当接させてビス等の固着具４にて棒状本体Ａ内に固定する役目をなす部位である。また、支持板片５ｂは発光部６，６，…，センサ９及び後述する電源部Ｂから電源を受ける受電部８等が装着され、これらを支持する役目をなす部位である。
【００１４】
また、前記固定板片５ａと支持板片５ｂとは、略直角であるが、好ましくは前記支持板片５ｂは直角よりも僅かに上方に傾斜させるもので、その角度は、約１５度である。また、支持板片５ｂには、複数の発光部６，６，…が装着されるための切除部５ｂ1 が形成されている。この切除部５ｂ1 は、図３（Ｃ），（Ｄ）等に示すように、支持板片５ｂの長手方向において所定間隔をおいて複数形成されている。実際には、支持板片５ｂには複数の発光部６，６，…が取り付けられた基板７が固着されている。また、センサ９は、図４（Ｂ）に示すように、その基板ごと前記固定板片５ａに固着される。前記受電部８は、そのベース部５の長手方向端部に固着されている。その受電部８には、入力端子８ａが設けられている。該入力端子８ａはピン状に形成され、スプリング等の弾性体を介して軸方向に出入自在な構造となっている。
【００１５】
次に、複数の発光部６，６，…は、基板７に所定間隔をおいて配置され、該基板７が接着剤等の接着手段によって前記ベース部５の支持板片５ｂ上に配置固着されている。このとき、基板７に装着された発光部６，６，…は、前記支持板片５ｂに形成された切除部５ｂ1 から下方に突出するようにしている〔図３（Ｄ）参照〕。その発光部６は、具体的にはＬＥＤが使用されており、前記基板７には、前記ＬＥＤの点灯を制御する制御回路が組み込まれている。また、発光部６は、普通の豆電球が使用されることもある。
【００１６】
そのベース部５は、棒状本体Ａの軸部１内に挿入され、センサ９とセンサ窓部３との位置、及び複数の発光部６，６，…の位置と前記小貫通孔２ａ，２ａ，…の位置とをそれぞれ一致させて、ベース部５の固定板片５ａと軸部１の内壁とを当接させてビス等の固着具４にて固着し、ベース部５を軸部１内に固定する〔図４（Ｃ）参照〕。このように、発光部６，６，…及びセンサ９等の部品をベース部５に固定しておけば、あとはベース部５を軸部１内に挿入して位置合わせするのみで、簡易且つ迅速に組み立てることができる。
【００１７】
その電源部Ｂは、図５（Ｂ）に示すように、電池ホルダ１０，出力部１１及び固定キャップ部１２とから構成されている。電池ホルダ１０には、電池１７により直流電源を発電し、その電力を出力部１１を通して、前記受電部８に電源を供給するものである。前記電池ホルダ１０は、複数の電池１７，１７，…を装着することができる。また、電池ホルダ１０は、充電タイプのものが使用されることもある。前記出力部１１は、電池ホルダ１０と一体的に構成されたものである。
【００１８】
その出力部１１には、前記受電部８の入力端子８ａと当接する出力端子１１ａが設けられている。その電源部Ｂの電池ホルダ１０は、棒状本体Ａの内部に挿入することにより、棒状本体Ａに収納される。そして、図５（Ａ），図６（Ａ）に示すように、前記出力部１１の出力端子１１ａが前記棒状本体Ａ内に収納された受電部８の入力端子８ａと接触するようになっている。固定キャップ部１２は、棒状本体Ａの軸部１の長手方向端部に嵌合状態で塞ぐことができる。
【００１９】
すなわち、棒状本体Ａ内において、前記ベース部５に装着された受電部８の入力端子８ａに、電源部Ｂを棒状本体Ａに装着した状態で前記出力部１１の出力端子１１ａが当接することができるように位置の設定がなされている。このようにすることで、電源部Ｂの電池ホルダ１０を棒状本体Ａ内に収納し、電源部Ｂに一体的に具備された固定キャップ部１２を棒状本体Ａの端部開口部に嵌め込むようにすることで、発光部６，６，…とセンサ９に通電し、発光部６，６，…が点灯可能な状態となるものである。また、棒状本体Ａの軸部１の長手方向他端側には化粧キャップ部１３が着脱自在に装着されている。
【００２０】
本発明における棒状照明具を洋服ダンスのハンガー掛け棒として使用する場合には、図８（Ａ）乃至（Ｃ）に示すように、取付具１４，１４がタンス内に設けられる。その取付具１４は、フランジ部１４ａと受部１４ｂとからなり、該受部１４ｂは棒状本体Ａの長手方向端部を支持するようになっている。フランジ部１４ａは、タンス内壁にビス等の固着具にて固着されるものである。
【００２１】
棒状照明具を装着する場合には、図１（Ｃ），図８（Ｃ）に示すように、棒状本体Ａの光通過孔２を下方に向けて発光部６，６，…の光が洋服を照射できるようにする。また、前記センサ窓部３は、図７（Ｂ）に示すように、洋服タンス１６の扉１６ａを開いたときに、センサ９が人体を感知することができるようにセンサ窓部３の方向が設定される。通常は、センサ窓部３は、図７（Ａ）に示すように、洋服タンス１６の扉１６ａ側を向いており、扉１６ａを開いた人間をすぐに感知しやすいように設定されるものである。
【００２２】
本発明においては、光通過孔２が形成された棒状本体Ａと、前記棒状本体Ａ内で且つ光通過孔２位置に配置される発光部６，６，…と、該発光部６を点灯させる直流電源を有する電源部Ｂと、人体の接近を感知し前記発光部６と前記電源部Ｂとを通電させて照明させ得るセンサ９とからなり、前記電源部Ｂは前記棒状本体Ａに着脱自在に内蔵され、且つ前記センサ９は棒状本体Ａの適所に設けた棒状照明具としたことにより、極めて簡単な構成にて、タンス等の家具内における人体を感知して照明が行われる照明装置とすることができる。
【００２３】
棒状本体Ａには、発光部６，６，…，センサ９及び電源部Ｂ等が装備されているので、タンス等の家具側に電気配線等の何らの加工する必要がない。また、棒状本体Ａには電源部Ｂを備えているので、タンス等の家具に装着するのみで、人体を感知して発光部６，６，…が点灯し、タンス等の家具内を照明することができる。特にセンサ９は、人体の接近を感知し、発光部６，６，…を点灯させるので、人が遠のき、人体を感知しなくなると、消灯し、電気の無駄も生じないものである。
【００２４】
また、前記光通過孔２は、複数の小貫通孔２ａ，２ａ，…とし、各小貫通孔２ａ，２ａ，…に発光部６，６，…が対応するようにして配置することにより、棒状本体Ａの発光部６，６，…による照明は、多数のスポット状照明となり、たとえばこの棒状照明具をタンスのハンガー掛け棒や、食器棚、扉の把手等に使用すれば、装飾的な役割もなすことができる。
【００２５】
さらには、図９に示すように、本発明の棒状照明具を階段の手摺りとして使用することもある。階段の手摺りにする場合には、棒状照明具の断面を真円状とし、その両端に取付用ブラケット１５，１５を介して階段壁上部［図９（Ｂ）及び（Ｃ）参照］に設けられたり、或いは図９（Ｄ）に示すように、階段壁側部に設けられることもある。何れにしても人の昇り降りをセンサ９にて感知して階段箇所を照明できる。
【００２６】
また、前記センサ９と，前記複数の小貫通孔２ａ，２ａ，…と同等間隔にした発光部６，６，…を装着するベース部５が具備され、該ベース部５は前記棒状本体Ａ内に挿通且つ固定することにより、棒状本体Ａに発光部６，６，…及びセンサ９等を組み付けることが極めて簡易且つ迅速にでき、製造効率が良好になる。
【００２７】
前記電源部Ｂには、出力端子１１ａが装着され、前記ベース部５には前記出力端子１１ａと接触する入力端子８ａが設けられ、前記電源部Ｂが棒状本体Ａ内に挿入されることより、出力端子１１ａと入力端子８ａとが当接する構成とすることにより、発光部６，６，…と電源部Ｂとの通電が極めて簡単に行われ、通電スイッチ等を新たに設ける必要がなく、操作も簡単にできるものである。
【００２８】
前記発光部６は、ＬＥＤ（発光ダイオード）とすることにより、省エネタイプにできる。該ＬＥＤの具体的な回路としては、図１０に示すように、ＬＥＤ制御回路Ｃが、発光部６としての複数のＬＥＤとセンサ９との間に設けらている。前記ＬＥＤ制御回路Ｃは、前記センサ９からの入力信号を増幅する増幅回路２０と、該増幅回路２０で増幅された信号を波形整形する波形整形回路２１と、ＬＥＤを点灯させるためのＬＥＤ点灯回路２２と、ＬＥＤを駆動させるためのＬＥＤ駆動回路２３と、複数のＬＥＤの電流を制御するＬＥＤ電流制御回路２４とから構成されている。
【００２９】
また、図１０の回路では、前記電源部Ｂと前記発光部６との間に、電源供給接点が設けられているが、この構成は、前述した出力部１１の出力端子１１ａと、受電部８の入力端子８ａとからなっている。この回路におけるセンサ９は赤外線用として使用され、人体の近づきに対応して感知するものであり、この感知に対応して、前記ＬＥＤ制御回路Ｃが駆動して、ＬＥＤとしての発光部６が点灯し、本発明の棒状照明具をタンスのハンガー掛け棒として使用すると、タンスを開けたときにタンス内の照明ができ、衣服等の取り出し、収納を室内照明をすることなくできる。特に、棒状照明具自体で、電源部Ｂを有しているために、電源の供給配線が不要である点も大きな利点である。
【産業上の利用可能性】
【００３０】
本発明は、棒状照明具をタンスのハンガー掛け棒とした実施態様であるが、食器等を吊るす棒状照明具としての食器収納家具や、階段のステップの下面に付けたり、玄関の出入り口等にも応用することができ、装飾的な点も加わって産業上大きく利用することができる。
【図面の簡単な説明】
【００３１】
【図１】（Ａ）は本発明の斜視図、（Ｂ）は要部拡大斜視図、（Ｃ）はタンスのハンガー掛け棒とした使用状態図である。
【図２】（Ａ）は本発明の分解正面図、（Ｂ）は本発明の正面図である。
【図３】（Ａ）はベース部の平面図、（Ｂ）はベース部の正面図、（Ｃ）はベース部の底面図、（Ｄ）は（Ｃ）の一部拡大図、（Ｅ）はベース部の端部の受電部箇所の正面図、（Ｆ）は（Ｅ）の側面図である。
【図４】（Ａ）は本発明の要部正面図、（Ｂ）は（Ａ）のＸ1 −Ｘ1 矢視断面図、（Ｃ）は（Ａ）のＸ2 −Ｘ2 矢視断面である。
【図５】（Ａ）は本発明の端部の電源部箇所の一部断面とした正面図、（Ｂ）は（Ａ）の分解正面図である。
【図６】（Ａ）は本発明の端部の電源供給接点箇所の一部断面とした正面図、（Ｂ）は（Ａ）において電源部を棒状本体内に挿入途中の正面図である。
【図７】（Ａ）は本発明をタンス内のハンガー掛け棒として使用し、人がタンス前に立っている状態図、（Ｂ）は人がタンスの扉を開けたときに、センサが作動して照明された状態図である。
【図８】（Ａ）は棒状本体部の端部と、該端部を受ける取付具との分解斜視図、（Ｂ）は（Ａ）の取付状態の斜視図、（Ｃ）は本発明の取付状態の正面図である。
【図９】（Ａ）は本発明の別の実施形態の斜視図、（Ｂ）は（Ａ）を階段壁に取付けた一部斜視図、（Ｃ）は（Ｂ）の一部断面図、（Ｄ）は（Ｃ）とは別の取付状態の断面図である。
【図１０】本発明の回路図である。
【符号の説明】
【００３２】
Ａ…棒状本体、Ｂ…電源部、２…光通過孔、２ａ…小貫通孔、５…ベース部、６…発光部、８ａ…入力端子、９…センサ、１１ａ…出力端子
【図１】
2005183222.tif 000003
【図２】
2005183222.tif 000004
【図３】
2005183222.tif 000005
【図４】
2005183222.tif 000006
【図５】
2005183222.tif 000007
【図６】
2005183222.tif 000008
【図７】
2005183222.tif 000009
【図８】
2005183222.tif 000010
【図９】
2005183222.tif 000011
【図１０】
2005183222.tif 000012